(57)【要約】【課題】冷凍サイクルの一部を構成するタンクを支持する支持部材について、その形状が複雑化することを回避することができ、また、支持部材の製造コストを抑えることができる空気調和機の室外機を提供する。【解決手段】本実施形態に係る空気調和機の室外機は、冷凍サイクルの一部を構成するタンクと、前記タンクを支持する支持部材と、を備え、前記支持部材は、複数の支持部材パーツをそれぞれ異なる方向に向けた状態で組み合わせた構成である。【選択図】図２
2018185101.tif 000002
【特許請求の範囲】
【請求項１】
冷凍サイクルの一部を構成するタンクと、
前記タンクを支持する支持部材と、
を備え、
前記支持部材は、複数の支持部材パーツをそれぞれ異なる方向に向けた状態で組み合わせた構成である空気調和機の室外機。
【発明の詳細な説明】
【技術分野】
【０００１】
本発明の実施形態は、空気調和機の室外機に関する。
【背景技術】
【０００２】
空気調和機の室外機において、冷凍サイクルの一部を構成するタンクである例えばアキュームレータは、室外機本体の内部において支持部材により固定されている（例えば、特許文献１，２参照）。
【先行技術文献】
【特許文献】
【０００３】
【特許文献１】特開２００９−１６８２７０号公報
【特許文献２】特開２０１０−１７５１３８号公報
【発明の概要】
【発明が解決しようとする課題】
【０００４】
しかしながら、従来の支持部材は、絞り加工が施されることにより強度を確保しており、従って、支持部材の形状が複雑であり、また、支持部材を製造する際に当該支持部材に絞り加工を施すための型が必要であるため製造コストが高くなってしまう。
【０００５】
そこで、冷凍サイクルの一部を構成するタンクを支持する支持部材について、その形状が複雑化することを回避することができ、また、支持部材の製造コストを抑えることができる空気調和機の室外機を提供する。
【課題を解決するための手段】
【０００６】
本実施形態に係る空気調和機の室外機は、冷凍サイクルの一部を構成するタンクと、前記タンクを支持する支持部材と、を備える。前記支持部材は、複数の支持部材パーツをそれぞれ異なる方向に向けた状態で組み合わせた構成である。
【図面の簡単な説明】
【０００７】
【図１】本実施形態に係る空気調和機の室外機の構成例を概略的に示す外観斜視図
【図２】空気調和機の室外機の内部の構成例を概略的に示す斜視図
【図３】支持部材の構成例を概略的に示す平面図
【図４】支持部材パーツの構成例を概略的に示す斜視図
【図５】機械室の底部の構成例を概略的に示す斜視図
【図６】機械室の底部の構成例を概略的に示す縦断側面図
【発明を実施するための形態】
【０００８】
以下、空気調和機の室外機に係る一実施形態について図面を参照しながら説明する。図１に例示する空気調和機の室外機１０は、その外郭を構成する室外機本体１１の前面に複数、この場合、２つの空気吹出口１２を備えている。図２に例示するように、室外機本体１１の内部には、送風機１３、熱交換器１４、圧縮機１５、アキュームレータ１６、電気部品箱１７などが備えられている。室外機本体１１の内部は、熱交換室１１Ａと機械室１１Ｂとに仕切られている。そして、送風機１３、熱交換器１４は、熱交換室１１Ａ内に設けられている。一方、圧縮機１５、アキュームレータ１６、電気部品箱１７は、機械室１１Ｂ内に設けられている。
【０００９】
図１に例示するように、室外機本体１１の右側の下部、つまり、機械室１１Ｂ側の下部には、パネル１８が着脱可能に取り付けられている。例えば作業者は、このパネル１８を取り外すことにより、機械室１１Ｂの下部に手や工具などを入れて作業をすることができるようになっている。
【００１０】
図２に例示するように、送風機１３は、室外機本体１１前面の空気吹出口１２に対応して複数、この場合、２つ設けられている。これら送風機１３が駆動することにより、室外機本体１１の外部の空気が室外機本体１１の内部に吸い込まれ、熱交換器１４と熱交換する。そして、熱交換器１４と熱交換した空気は、送風機１３による送風作用により空気吹出口１２から室外機本体１１の外部に吹き出される。熱交換器１４、圧縮機１５、アキュームレータ１６は、周知の冷凍サイクル１９を構成している。電気部品箱１７は、室外機の動作全般を制御する図示しない制御装置などを格納している。
【００１１】
冷凍サイクル１９の一部を構成するアキュームレータ１６は、タンクの一例であり、室外機本体１１の上下方向に沿って延びる長尺なほぼ円柱形状をなしている。そして、アキュームレータ１６は、機械室１１Ｂ内において、支持部材２０により下方から支持された状態で取り付けられている。
【００１２】
本実施形態では、この支持部材２０に創意工夫を施している。次に、この支持部材２０の構成例について詳細に説明する。図３および図４に例示するように、支持部材２０は、１つの部材として構成されているのではなく、複数、この場合、２つの支持部材パーツ２１，２２を組み合わせた構成となっている。支持部材パーツ２１，２２は、何れも、金属製の板材を折り曲げることにより構成されており、その全部または一部に対し絞り加工が施されていない構成となっている。
【００１３】
支持部材パーツ２１は、全体として、前後方向の寸法が左右方向の寸法よりも長い長尺な形状をなしている。支持部材パーツ２１は、垂直方向に延びる垂直平面部２１１、この垂直平面部２１１の上端部から右側に向かって折り曲げられた水平方向に延びる上部平面部２１２、垂直平面部２１１の下端部から右側に向かって折り曲げられた水平方向に延びる下部平面部２１３、垂直平面部２１１の前端部から右側に向かって折り曲げられた垂直方向に延びる前部平面部２１４、垂直平面部２１１の後端部から右側に向かって折り曲げられた垂直方向に延びる後部平面部２１５を有している。
【００１４】
垂直平面部２１１は、支持部材パーツ２１の主体となる平面部である。垂直平面部２１１は、絞り加工が施されていない平坦な面部となっており、その前後方向のほぼ中央部に複数、この場合、３つのねじ孔２１１ａを有している。なお、図４では、２つのねじ孔２１１ａのみを示している。上部平面部２１２は、アキュームレータ１６が載置される平面部である。上部平面部２１２は、絞り加工が施されていない平坦な面部となっており、その前後方向の両端部にねじ孔２１２ａを有している。
【００１５】
下部平面部２１３は、支持部材パーツ２１の脚部となる平面部である。下部平面部２１３は、絞り加工が施されていない平坦な面部となっており、その前後方向のほぼ中央部に複数、この場合、２つの水抜き孔２１３ａを有している。また、下部平面部２１３は、その右端部に複数、この場合、２つのねじ孔２１３ｂと１つのねじ孔２１３ｃを有している。ねじ孔２１３ｃを挟んで前後にねじ孔２１３ｂが設けられている。ねじ孔２１３ｃの開口径は、水抜き孔２１３ａおよびねじ孔２１３ｂの開口径よりも小さくなっている。
【００１６】
前部平面部２１４は、絞り加工が施されていない平坦な面部となっており、その上部が右側に向かって延出されている。前部平面部２１４の延出部分の上部は水平方向に折り曲げられており、上部平面部２１２の前端部の下方に位置している。前部平面部２１４の延出部分には、図示しないねじ孔が設けられており、このねじ孔は、上部平面部２１２の前端側のねじ孔２１２ａに重なっている。これにより、アキュームレータ固定用ねじ孔部２１７が構成されている。
【００１７】
後部平面部２１５は、絞り加工が施されていない平坦な面部となっており、その上部が右側に向かって延出されている。後部平面部２１５の延出部分の上部は水平方向に折り曲げられており、上部平面部２１２の後端部の下方に位置している。後部平面部２１５の延出部分には、図示しないねじ孔が設けられており、このねじ孔は、上部平面部２１２の後端側のねじ孔２１２ａに重なっている。これにより、アキュームレータ固定用ねじ孔部２１８が構成されている。
【００１８】
支持部材パーツ２１は、前部平面部２１４と後部平面部２１５とにより、上部平面部２１２の前後の端部が下方から支持されている。これにより、支持部材パーツ２１の強度、特に上部平面部２１２の強度が向上する。
【００１９】
一方、支持部材パーツ２２は、全体として、左右方向の寸法が前後方向の寸法よりも長い長尺な形状をなしている。支持部材パーツ２２は、垂直方向に延びる垂直平面部２２１、この垂直平面部２２１の上端部から前側に向かって折り曲げられた水平方向に延びる上部平面部２２２、垂直平面部２２１の下端部から後側に向かって折り曲げられた水平方向に延びる下部平面部２２３、上部平面部２２２の前端部から下側に向かって折り曲げられた垂直方向に延びる前部平面部２２４、垂直平面部２２１の右端部から後側に向かって折り曲げられた垂直方向に延びる右部平面部２２５、前部平面部２２４の右端部から前側に向かって折り曲げられた垂直方向に延びる右部平面部２２６を有している。
【００２０】
垂直平面部２２１は、支持部材パーツ２２の主体となる平面部である。垂直平面部２２１は、絞り加工が施されていない平坦な面部となっており、また、ねじ孔などが形成されていない平坦な面部となっている。
【００２１】
上部平面部２２２は、アキュームレータ１６が載置される平面部である。上部平面部２２２は、絞り加工が施されていない平坦な面部となっており、その左端部に引っ掛け部２２７を有している。引っ掛け部２２７は、上部平面部２２２の左端部から上側に向かって折り曲げられた垂直方向に延びる本体部２２７ａの下部に、前後方向に延びるスリット２２７ｂを有する構成となっている。なお、この引っ掛け部２２７も、絞り加工が施されていない平坦な面部となっている。
【００２２】
下部平面部２２３は、支持部材パーツ２２の脚部となる平面部である。下部平面部２２３は、絞り加工が施されていない平坦な面部となっており、その左右方向のほぼ中央部に、この場合、１つのねじ孔２２３ａを有している。前部平面部２２４は、絞り加工が施されていない平坦な面部となっており、また、ねじ孔などが形成されていない平坦な面部となっている。右部平面部２２５は、絞り加工が施されていない平坦な面部となっており、その上下方向の両端部にねじ孔２２５ａを有している。右部平面部２２６は、絞り加工が施されていない平坦な面部となっており、その下端部にねじ孔２２６ａを有している。
【００２３】
支持部材２０は、２つの支持部材パーツ２１，２２をそれぞれ異なる方向に向けた状態で組み合わせた構成となっている。即ち、支持部材２０は、支持部材パーツ２１を、その長手方向を前後方向に向けた状態で、且つ、支持部材パーツ２２を、その長手方向を左右方向に向けた状態で、これら支持部材パーツ２１，２２を相互にねじ止めすることにより構成される。
【００２４】
具体的には、支持部材パーツ２１の垂直平面部２１１の左面に支持部材パーツ２２の右部平面部２２５および右部平面部２２６を対向させる。そして、垂直平面部２１１の３つのねじ孔２１１ａと、右部平面部２２５の２つのねじ孔２２５ａおよび右部平面部２２６の１つのねじ孔２２６ａとを対向させ、これらのねじ孔をねじ３０によりねじ止めする。これにより、２つの支持部材パーツ２１，２２からなる支持部材２０が構成される。このように構成される支持部材２０は、図３に例示するように、当該支持部材２０を上方から見ると、支持部材パーツ２１の左右方向のほぼ中央部から支持部材パーツ２２が左方に向かって突出した形状、いわゆるＴ字形状をなしている。
【００２５】
図５に例示するように、このように構成される支持部材２０は、機械室１１Ｂの底部に取り付けられる。このとき、支持部材２０は、支持部材パーツ２１の下部平面部２１３のねじ孔２１３ｂがねじ３１によりねじ止めされ、且つ、支持部材パーツ２２の下部平面部２２３のねじ孔２２３ａがねじ３２によりねじ止めされることにより、機械室１１Ｂの底部に強固に固定される。
【００２６】
そして、アキュームレータ１６は、このように機械室１１Ｂの底部に固定された支持部材２０の上部に載置される。ここで、アキュームレータ１６は、その下部に複数、この場合、３つの脚部１６ａを備えている。なお、図５では、２つの脚部１６ａのみを示している。このうち、アキュームレータ１６の右側に設けられている２つの脚部１６ａは、支持部材パーツ２１の上部に設けられているアキュームレータ固定用ねじ孔部２１７，２１８にねじ３３によりねじ止めされる。一方、アキュームレータ１６の左側に設けられている１つの脚部１６ａは、支持部材パーツ２２の上部に設けられている引っ掛け部２２７に引っ掛けられる。
【００２７】
図６に例示するように、室外機本体１１の一部を構成するパネル１８には、空気取り入れ口１８ａが設けられている。空気取り入れ口１８ａは、いわゆるガラリ構造により通気可能に構成されている。そして、機械室１１Ｂ内には、ルーバダクト４０が設けられている。ルーバダクト４０は、空気取り入れ口１８ａから流入する空気に含まれる埃類を機械室１１Ｂ内に進入しにくくするための構成要素である。この場合、ルーバダクト４０も、いわゆるガラリ構造により通気可能に構成されている。
【００２８】
そして、このルーバダクト４０は、支持部材２０に固定されている。具体的には、ルーバダクト４０は、その下端部が、支持部材パーツ２１の下部平面部２１３のねじ孔２１３ｃにねじ３４によりねじ止めされている。
【００２９】
そして、支持部材２０に固定されたルーバダクト４０は、パネル１８が取り外された状態では、室外機本体１１の外側、この場合、右側に向かって若干押し出された状態となるように設計されている。そして、パネル１８が取り付けられると、そのパネル１８によりルーバダクト４０が室外機本体１１の内側、この場合、左側に押し戻される状態となるように設計されている。これにより、パネル１８が取り付けられた状態では、ルーバダクト４０がパネル１８の内面つまり空気取り入れ口１８ａの内面に押し付けられるような状態となり、これにより、空気取り入れ口１８ａとルーバダクト４０との間に隙間が生じにくい構成となっている。
【００３０】
本実施形態に係る空気調和機の室外機１０によれば、冷凍サイクル１９の一部を構成するアキュームレータ１６を支持する支持部材２０は、２つの支持部材パーツ２１，２２をそれぞれ異なる方向に向けた状態で組み合わせた構成となっている。即ち、本実施形態によれば、支持部材２０を、１つの部材ではなく、複数の支持部材パーツ２１，２２を組み合わせることにより構成する。従って、支持部材パーツ２１，２２を、それぞれ、絞り加工を施すことなく単に折り曲げた単純な形状とすることができ、支持部材２０の形状が複雑化することを回避することができる。また、絞り加工用の型が不要であることから、支持部材２０の製造コストを抑えることができる。
【００３１】
また、本実施形態によれば、２つの支持部材パーツ２１，２２をそれぞれ異なる方向に向けた状態で組み合わせることにより、いわゆるＴ字形状をなす支持部材２０を構成している。このようにＴ字形状をなす支持部材２０は、その強度が向上することから、アキュームレータ１６が大型であったとしても、安定して支持することができる。特に、本実施形態で例示した室外機１０は、複数の室内機が接続され、複数の送風機１３を備える大型の室外機であることから、アキュームレータ１６も大型化する傾向がある。従って、本実施形態に係る支持部材２０は、このような大型の室外機１０におけるタンクを支持する支持部材として好適である。
【００３２】
また、本実施形態に係る支持部材２０によれば、その一部を構成する支持部材パーツ２１において上部平面部２１２と下部平面部２１３との間に空間を確保することができる。そのため、この空間を配線や配管を収めるための空間として利用することができ、スペースが限られる室外機本体１１内の空間を有効に活用することができる。
【００３３】
また、本実施形態に係る室外機１０によれば、空気取り入れ口１８ａとルーバダクト４０との間に隙間が生じにくい構成となっている。そのため、空気取り入れ口１８ａから流入する空気に含まれる埃類の進入をルーバダクト４０により一層抑制することができる。
【００３４】
なお、本実施形態は、上述した実施形態に限られるものではなく、例えば、次のように変形または拡張することができる。例えば、支持部材２０は、３つ以上の複数の支持部材パーツにより構成してもよい。また、支持部材２０は、複数の支持部材パーツを接触させた構成としてもよいし、離間させた構成としてもよい。また、支持部材パーツは、絞り加工を施さないものであれば、種々の形状、大きさで設計することができる。
【００３５】
また、支持部材パーツは、その大半の部分に絞り加工が施されていない構成としてもよく、その一部、例えば、ねじ止め部や引っ掛け部などに絞り加工を施す構成としてもよい。また、支持部材２０の形状は、複数の支持部材パーツを組み合わせることにより、例えば、矩形状、矩形枠状、いわゆるＨ字形状、三角形状、多角形状、環状など種々の形状で構成することができる。また、本実施形態は、アキュームレータ１６を支持する支持部材２０に限られず、その他の構成要素を支持する支持部材にも適用することができる。
【００３６】
本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００３７】
図面中、１０は空気調和機の室外機、１６はアキュームレータ（タンク）、１９は冷凍サイクル、２０は支持部材、２１，２２は支持部材パーツを示す。
【図１】
2018185101.tif 000003
【図２】
2018185101.tif 000004
【図３】
2018185101.tif 000005
【図４】
2018185101.tif 000006
【図５】
2018185101.tif 000007
【図６】
2018185101.tif 000008